(57)【要約】【課題】  トランス等の廃電気機器の板片を洗浄し、油分を完全に除去すること。【解決手段】  水槽内に設置されたコンベア付近に、複数の超音波発振器が配備され、前記水槽の底部より所定の高さに噴水管を配設し、前記水槽の水面の高さに、油と水を分離する分離槽を設置し、前記分離槽には、小孔を有する分離網を介して前記水槽に排水管を接続したことを特徴とする廃電気機器の洗浄装置により目的を達成した。【選択図】図１
2013240726.tif 000002
【特許請求の範囲】
【請求項１】
水槽内に設置されたコンベアに廃電気機器の板片を載置して、当該水槽内で前記廃電気機器を洗浄する装置であって、
前記コンベアは、前記水槽の中央に、前記水槽の底部と平行に架設された水平部と、当該水平部の両端に、前記水槽の水面上の方向へ向けてそれぞれ連設された始端側と終端側を備え、
前記コンベア付近に、複数の超音波発振器が配備され、前記水槽の底部より所定の高さに噴水管を配設し、
前記水槽の水面の高さに、廃電気機器の油と水を分離する分離槽を設置し、前記分離槽には、小孔を有する分離網を設置したことを特徴とする廃電気機器の洗浄装置。
【請求項２】
超音波発振器を、コンベアの上下部にそれぞれ所定間隔で複数配備したことを特徴とする請求項１記載の廃電気機器の洗浄装置。
【請求項３】
噴水管を、前記水槽の底部と平行に２〜４本配設し、前記噴水管にはそれぞれ複数の下向きのノズルを設けたことを特徴とする請求項１記載の廃電気機器の洗浄装置。
【発明の詳細な説明】
【技術分野】
【０００１】
この発明は、廃電気機器（主としてトランス、その他コンデンサ、又は安定器など多量の油を使用する機器（以下「トランス等」という））から抽油した後、各部をほぼ板状に分解したものを水洗して、付着物などを完全に除去することを目的とした廃電気機器の洗浄装置に関する。
【背景技術】
【０００２】
従来、トランス等には多量のトランス油が入っているので、これを廃棄する際には、通常吸油ポンプを使用して抽油し、ついで洗浄しているが、ポンプを用いた抽油だけでは残油が比較的多くなり（例えば５リットル〜６リットル残っている）、そのまま洗浄すると洗浄効率が低下するのみならず、洗浄水の排水処理にも多大の時間、労力が必要になる問題点があった。
【０００３】
そこで、抽油後、トランス等を地中に埋設処理することも考えられるが、埋めたものはそのまま保持されるので、膨大な埋設場所を必要とし、かつ資源を再利用できない問題点があった。
【先行技術文献】
【特許文献】
【０００４】
【特許文献１】特開２０１１−１７２５５５号公報
【特許文献２】特開平６−１０６１４４号公報
【発明の概要】
【発明が解決しようとする課題】
【０００５】
従来、洗浄水槽内をコンベアで移動する被洗浄物に超音波を作用させて洗浄効果を向上させた洗浄装置が提案され、それぞれ実用に供せられているが、前記水槽の底面に沈積した沈殿物の処理については提案がなく、沈殿物を積極的に除去又は改善するような処理方法についての提案もない。
【０００６】
また、洗浄水槽を長時間使用すれば、洗浄水の汚濁は免れないが、洗浄水を頻繁に取り換えることは困難である。
【０００７】
さらに、洗浄水の浄水処理が考えられるが、完全かつ多量処理については多大な費用及び設備を必要とする問題点がある。
【課題を解決するための手段】
【０００８】
この発明では、被洗浄物に超音波を作用させて洗浄し、洗浄により生じた汚物を浮遊させ、これを分離廃棄することにより、また沈殿物を次のように処理して前記従来の問題点を解決したのである。
【０００９】
即ち、沈殿して水槽底部に溜まった沈殿物に対しては、定期的又は連続的にノズルから圧力水を噴き出して洗浄水に混合することにより、比重の小さい沈殿物を浮上させて、網、フィルター又は多孔分離器なでで分離して外界へ取り出し、分離水は水槽に戻して循環させる。比重の大きい沈殿物は、水底付近で水と混合し、ドレンパイプより排出する。
【００１０】
前記において、超音波は、被処理物（例えばトランス等を分解した板片）に作用して、当該板片に付着している油類を効率よく分離させることができるので、当該板片を容易かつ確実に洗浄することができる。
【００１１】
この発明では、抽油したトランス等を分解して全体を板片とし、この板片を洗浄槽内に敷設したコンベアの一端に乗せる。前記コンベアを、洗浄槽内で低速移動させつつ超音波を作用させて板片を洗浄する。前記板片の洗浄時間は、前記コンベアの速度を調節することによって適宜選定することができる。この場合に、トランス等の板片の大きさ、形状は決まっているので、油の完全除去を目標にして板片の移動速度を容易に設定することができる。
【００１２】
この発明では、洗浄用の水槽に網コンベアを敷設して、該網コンベアの始端側は水槽から引出してトランス等の板片の供給側とし、終端側はトランス等の板片の排出側とする。
【００１３】
前記供給側では、人力又は機械力を利用してコンベア上へトランス等の板片を供給する。また、排出側では、コンベアの反転を利用してトランス等の板片を落下させて容器に収容する。
【発明の効果】
【００１４】
この発明によれば、油の付着したトランス等の板片を、超音波を作用させて自動的に完全に洗浄できる効果がある。また、洗浄により生じた異物などは逐次分離されると共に、洗浄水を自動的に清浄化することができるので、長時間連続運転することができる効果がある。
【００１５】
また、動くものはコンベアと水を動かすプロペラだけであるから、故障のおそれもなく、連続洗浄に際しても同一作用効果（同一洗浄状態）を期待することができる効果がある。さらに、人力は、トランス等の板片をコンベア上へ供給するのみであるから、適切にトランス等の板片を区分することにより、重労働を避けることができる効果がある。また、トランス等の板片の自動供給装置を設置すれば、人力による労力を著しく軽減させることができる。
【図面の簡単な説明】
【００１６】
【図１】この発明の実施例の一部を省略した平面図。
【図２】同じく一部を省略した断面図。
【図３】（ａ）同じく板片の自動供給装置の実施例の一部を省略した正面図、（ｂ）同じく分離槽の一部断面拡大図。
【発明を実施するための形態】
【００１７】
この発明は、トランス等を分解して板片とし、該板片を再利用資材とするために、付着している油などを除去する洗浄装置である。従来、トランス等の処理においては、まず吸油ポンプを用いて内容油を抽出し、ついで当該トランス等を高圧水で洗浄する処理方法が提案されていたが、短時間に完全洗浄することは困難とされていた。
【００１８】
そこで、この発明は、トランス等を板片に分解し、該板片を洗浄装置に導いて、超音波介在下で洗浄したところ、容易に完全な水洗ができた。水洗処理した板片は新たな材料の素材として、単独又は新材料と混合して使用することができる。
【００１９】
この発明の水洗洗浄は、超音波（例えば２３Ｈｚ〜７０Ｈｚ）の作用する水中で板片を徐動しつつ水洗するもので、付着油分を効率よく完全に分離することができる。
【００２０】
この発明では、板片を乗せた金網コンベアの上下に設置した超音波発振器からの超音波を前記板片に作用させたので、板片の上下面は同時に洗浄される。
【００２１】
また、コンベアの徐動と相まって、洗浄水も流動するので、前記板片から分離された油分その他の汚物が板片に再付着するおそれはなく、分離油その他比重の小さい汚物は浮上して排出され、比重の大きい異物は水槽底へ沈殿する。
【００２２】
前記のようにして浮上した油分は、水面付近に設置した分離樋側に流動して、油分は水槽外へ排出され、水分は前記水槽へ戻される。前記流動は、適宜の位置に設置した回転翼又はスプレーにより発生する。
【００２３】
前記水槽の一側の、前記分離樋の設置された側壁に対向する側壁の水面付近に、ノズル付きのスプレーパイプを架設し、スプレーパイプのノズルから適宜噴水させて、水面流（分離樋に向かって水面付近が流動する）を生起させる。
【００２４】
次に、比重の大きい異物は、水槽底へ沈殿する。水槽底には、所定の高さに複数のノズルパイプが敷設されている。前記ノズルパイプの設置数は、２本乃至４本であって、下側にノズルが設けられている。そこで、前記ノズルパイプに加圧水を送水すると、加圧水が各ノズルから噴き出して前記水槽底付近に沈積した異物を吹き散らすので、ドレンパイプを開いて外界へ排出する。
【００２５】
前記水槽の上部には、スライドドアを設置し、通常は水槽の上部を閉鎖して水洗するが、水槽内の清掃に際しては、全開して各部の洗浄を容易にする。
【００２６】
この発明に採用する超音波発振器、コンベア（例えばメッシュコンベア）は、従来使用されている物を使用することができる（この発明特有の装置でなくても同一効果を期待することができる）。
【００２７】
この発明の洗浄装置は、超音波の作用する水中へ、トランス等の板片を徐動させるコンベアを敷設した装置であって、トランス等の板片は、前記水中で急速に洗浄される（例えば５分間位）。
【００２８】
前記洗浄により分離した油分は、水面付近に浮上すると共に、分離樋側へ流動し、分離樋で油分は外界へ流出される。この際分離した水分は、水槽へ返される。即ち、トランス等の板片は、水中ではコンベアによる移動中に洗浄されて排出され、分離した油分は、水面に浮上した後一側に集められて排除処理される。前記により生じた比重の大きい固形物は沈殿した後ドレンパイプから排出される。
【００２９】
前記において、水槽の水面にはスプレーしているので、前記水面に浮上した油と共に排出される水分は、適宜補充されることになり、特別に補充を要しない。また、油分と汚物（主として沈殿物）が自動的に除去されるので、トランス等を連続的に処理しても水槽水が過度に汚染されるおそれがなく、長時間連続使用することができる。
【実施例１】
【００３０】
この発明の実施例を添付図面に基づいて説明する。平面矩形であって、コンベアを敷設するに足る幅と深さを有する水槽１（例えば幅２ｍ、長さ１０ｍ、深さ１．５ｍの水槽）の長手方向に、トランス等の板片２、２を載置して移動させるための金網コンベア３を敷設する。
【００３１】
金網コンベア３の始端側３ａと終端側３ｂは、水槽１の左右側壁部１ａ、１ｂの上部に設置されている。金網コンベア３の始端側３ａは水平に架設され（図３）、板片２、２の供給場所である。金網コンベア３の終端側３ｂの下側部にはシュート４が設置され、該シュート４の下部に洗浄した板片２、２の収容箱５が設置してある。
【００３２】
金網コンベア３の中央部は、水槽１内へ水平（水槽１の底部と平行）に架設され、金網コンベア３の上部及び中間部に超音波発振器７、７が複数設置されている。
【００３３】
水槽１の底面８の上部に、小間隔（例えば１０ｃｍ〜２０ｃｍ）を保って噴水管９を水平に架設し、当該噴水管９の下部に複数のノズル１０、１０を設置すると共に、噴水管９の一端に送水管１１を連結する。
【００３４】
また、水槽１の長側壁の上部には、分離槽１２が横設してある。分離槽１２の上部１２ａは水面上にあって、水槽１の洗浄水が溝２１から自動流入できるようになっている。そこで、水槽１の水は、矢示１３のように分離槽１２に入り、ついで分離網１２ｂに設けた小孔を通過し、連結管を経て水槽１内へ矢示１５、１６のように戻される。即ち、水槽１の水は、分離槽１２に入り、トランス等の板片２、２から分離した固形汚物は分離水槽１２内に残り、水は再び水槽１内へ戻される。
【００３５】
前記連結管に送水管２５を連結し、該送水管２５に送水ポンプ２６を連結してある。
【００３６】
前記水槽１内を清掃する際（全水を入れ換える）には、ドレンパイプ２２のバルブ（図示していない）を開いて、全水を排水すると共に、必要に応じてノズル１０、１０から水を噴射して水槽底を清掃する。ついでドレンパイプ２２のバルブを締め、送水管２５のバルブ２７を開いてからポンプ２６を駆動して矢示２８のように送水し、水槽１内へ必要量の水を送入する。
【００３７】
前記において、板片２、２を自動供給する場合には、例えば図３に示すように、金網コンベア３の始端側３ａの上部にホッパー１７を設置し、ホッパー１７の下部１７ａを金網コンベア３上へ臨ませる。
【００３８】
前記において、ホッパー１７内へ洗浄すべき板片２、２を収容し、ホッパー１７に設置した振動器１８を始動すると、板片２、２は、ホッパー１７の下部に斜設した案内１７ａにより案内されて、矢示１９の方向へ移動し、金網コンベア３上へ並列載置される。
【００３９】
前記振動器付きホッパー１７は、自動供給装置の一例であるが、要はコンベアに相当する機器上へ板片２、２を並列載置することを目的としているので、この目的を達成できる機器は何れも使用することができる。
【００４０】
前記噴水管９のノズル１０、１０から加圧水を噴射し、水槽底面８の沈着物を吹き散らし、付近の水と混合させると共に、ドレンパイプ２２を用いて矢示２３のように水槽底付近の水を排出すると、水槽底面８付近の水を清浄化することができる。図中２４はスプレーパイプである。
【００４１】
本実施例においては、板片２、２に付着した油類を洗除することを目的としているが、板片２、２には油分以外の物（例えば塵など）も付着しているので、洗浄により前記塵などが分離し、水底に沈積し、又は水底付近の水を汚濁させる。
【００４２】
そこで、前記噴水管９のノズル１０から噴水すると共に、水槽下部の水を排水すれば、水槽１内の洗浄水の汚染を防止することができる。
【符号の説明】
【００４３】
１  水槽
２  板片
３  金網コンベア
４  シュート
５  収容箱
７  超音波発振器
９  噴水管
１０  ノズル
１１  送水管
１２  分離槽
１７  ホッパー
１８  振動器
２２  ドレンパイプ
【図１】
2013240726.tif 000003
【図２】
2013240726.tif 000004
【図３】
2013240726.tif 000005